(57)【特許請求の範囲】
【請求項１】
構造物に取り付けられる固定板と、所定の文字又は図が描かれた表板を有し、前記固定板は表面側に下向きの角度もって傾斜した係止穴を備え、前記表板は、裏面側に下向きの角度もって傾斜した突起を備えると共に突起の突設部位の上下には平坦部があり、該突起は固定板の係止穴と係合し、表板が固定板に係脱可能に固定され、前記突起は、表板の裏面側の中央部分にあり、前記係止穴は前記突起を挿入可能であって挿入された状態の時に突起との間に隙間が生じる程度に前記突起よりも大きく、表板が固定板に挿着された状態では、表板の背面部が、固定板の表面と当接し、表板は、突起と、突起上部の前記平坦部及び突起下部の前記平坦部の３点で固定板と接して安定した状態で固定されることを特徴とする表示板。
【請求項２】
固定板の係止穴は、一定の間隔を有して複数配置されていることを特徴とする請求項１記載の表示板。
【請求項３】
表板は表面板と裏面板からなり、表面板には文字又は図が描かれ、裏面板に下向きの角度もって傾斜した突起が設けられていることを特徴とする請求項１又は２に記載の表示板。
【請求項４】
表板の突起は、一定の間隔を有して複数設けられていることを特徴とする請求項１乃至３のいずれかに記載の表示板。
【請求項５】
表板の周部の上部或いは下部には傾斜部が設けられており、傾斜部の傾斜角度は、係止穴の角度と略同一であることを特徴とする請求項１乃至４のいずれかに記載の表示板。
【発明の詳細な説明】
【０００１】
【発明の属する技術分野】
本発明は、ホテルやデパート、駅、オフィスビル等の人が出入りする場所に設置する表示板に関するものである。
【０００２】
【従来の技術】
ホテルやデパート等の不特定多数の人が出入りする場所においては、トイレや階段、エレベータ等の場所を効率良く知らせ、混乱無く誘導する必要がある。そこで近年では、トイレやエレベータを図式化し、この図と矢印等を組み合わせた誘導表示がよく見かけられる。そしてトイレ等の前には、これらの図や「化粧室」等の文字表示がなされる場合が多い。
またオフィスビル事務所等においても、「社長室」とか「営業部」といった表示がなされる。
【０００３】
従来技術においては、これらの表示には、樹脂や金属等の板に図や文字を直接的に印刷した表示板が使用されていた。そして従来技術においては、当該表示板をＴ字路の壁や、トイレの入口等の構造物に接着剤や鋲によって直接的に取り付けられていた。
【０００４】
【発明が解決しようとする課題】
従来技術の表示板は極めて簡単な構造であり、普遍的に使用されているが、表示内容の変更が不可能であるという欠点がある。
すなわちデパートや駅等では、特定のイベント等のために、人を常時とは別の場所に誘導したい場合があり、表示内容を適宜変更する要求がある。またオフィスビル等では、レイアウトの変更によって、例えば「営業部」であった場所が「企画部」となる場合があり、表示を変更する要求が強い。
【０００５】
さらには、誘導用の表示は、設置場所によって誘導方向や誘導する位置が異なり、表示板全体としての意匠は極めて多種類となる。ここで従来技術の表示板は、板体に図柄を直接印刷したものであるから、互換性に乏しく、注文生産とならざるを得ない問題がある。
そこで本発明は、従来技術の上記した問題点に注目し、表示内容の変更が可能であり、且つ互換性も高い表示装置を開発することを課題とする。
【０００６】
【課題を解決するための手段】
そして上記した課題を解決するための請求項１記載の発明は、構造物に取り付けられる固定板と、所定の文字又は図が描かれた表板を有し、前記固定板は表面側に下向きの角度もって傾斜した係止穴を備え、前記表板は、裏面側に下向きの角度もって傾斜した突起を備えると共に突起の突設部位の上下には平坦部があり、該突起は固定板の係止穴と係合し、表板が固定板に係脱可能に固定され、前記突起は、表板の裏面側の中央部分にあり、前記係止穴は前記突起を挿入可能であって挿入された状態の時に突起との間に隙間が生じる程度に前記突起よりも大きく、表板が固定板に挿着された状態では、表板の背面部が、固定板の表面と当接し、表板は、突起と、突起上部の前記平坦部及び突起下部の前記平坦部の３点で固定板と接して安定した状態で固定されることを特徴とする表示板である。
【０００７】
請求項１記載の表示板は、固定板と表板から成り、固定板だけがネジ等によって構造物に取り付けられる。そして図等が描かれた表板は、突起を固定板の係止穴に係合することにより壁等の構造物に固定される。このように表板は、突起と係止穴との係合によって固定されているから、係脱可能であり、必要に応じて図柄等の異なる表板と取り替えることができる。
また表板の突起及び固定板の係止穴は、いずれも下向きの角度もって傾斜しているので、振動によって落下することがない。
【０００８】
本発明の表示板では、突起は、表板の裏面側の中央部分に設けられているので、表板の係脱作業が容易である。
【００００】
また上記した発明を改良した請求項２に記載の発明は、固定板の係止穴は、一定の間隔を有して複数配置されていることを特徴とする請求項１記載の表示板である。
【０００９】
請求項２に記載の表示板では、固定板の係止穴が、一定の間隔を有して複数配置されている。そのため固定板に複数の表板を取り付けたり、大きさの異なる表板を取り付けることができる。
【００１０】
さらに上記した発明を改良した請求項３に記載の発明は、表板は表面板と裏面板からなり、表面板には文字又は図が描かれ、裏面板に下向きの角度もって傾斜した突起が設けられていることを特徴とする請求項１又は２に記載の表示板である。
【００１１】
本発明の表示板では、表板は表面板と裏面板によって構成されている。そして表面板には図柄が描かれ、裏面板には突起が設けられる。このように表板を二つに分けたことにより、突起を成形する際のヒケ等の変形が表側に現れるのを防ぐことができる。
【００１２】
さらに上記した発明を改良した請求項４に記載の発明は、表板の突起は、一定の間隔を有して複数設けられていることを特徴とする請求項１乃至３のいずれかに記載の表示板である。
【００１３】
本発明の表示板は、表板、すなわち図柄の表示部分の大きさに変化をつける場合に適するものである。本発明の表示板では、表板の突起は、一定の間隔を有して複数設けられているので、表示板の面積を大きくすることができる。
【００００】
請求項５に記載の発明は、表板の周部の上部或いは下部には傾斜部が設けられており、傾斜部の傾斜角度は、係止穴の角度と略同一であることを特徴とする請求項１乃至４のいずれかに記載の表示板である。
【００１５】
【発明の実施の形態】
以下さらに本発明の実施形態について説明する。なお以下の説明において、上下、縦横、表裏等の表現は、いずれも表示板が構造物に固定された状態を基準とする。
図１は、本発明の実施形態の表示板の正面図である。図２は、図１の表示板の分解斜視図である。図３は、図１の表示板で採用する固定板の正面図、側面図及び側面断面図である。図４は、図１の表示板で採用する表板の裏面板の裏面図、側面図及び断面図である。図５は、図１の表示板で採用する表板の表面板の正面図、側面図、側面断面図、裏面図、平面図及び底面図である。図６は、図１の表示板の組み立て手順を示す断面図である。図７は、本発明の他の実施形態の表示板の固定板の正面図及び表板の裏面図である。図８は、本発明の他の実施形態の表示板の固定板の正面図である。図９は、本発明の他の実施形態の表示板を模式的に表した斜視図である。
【００１７】
図において、１は本発明の実施形態の表示板を示す。本実施形態の表示板１は、喫煙場所と電話及びロッカールームの位置を示す誘導表示であり、煙草の図柄、電話の図柄、ハンガーの図柄及び矢印が記載されている。
【００１８】
そして本実施形態の表示板１は、図２の様に大きく分けて一枚の固定板２と、各図柄が表示された４枚の表板３（図２には表板３を一枚だけ記載した）とによって構成されている。
ここで固定板２は、塩化ビニル樹脂、ポリプロピレン樹脂、ＡＢＳ樹脂その他の樹脂の射出成形によって作られたものであり、正方形の板状をした部材である。そして固定板２には、表面に４組の係止穴５、凹部６及び固定穴７が設けられている。すなわち固定板２では、係止穴５、凹部６及び固定穴７の三者が一組となり、これらが等間隔に４組設けられている。
【００１９】
係止穴５は、図２、図３（ａ）の様に開口部分が横長の長方形である。そして係止穴５は、固定板２の裏面側に貫通しているが、係止穴５の、上壁１０と下壁１１はいずれも下向きの角度をもって傾斜している。そのため係止穴５の本体部分は、全体として、表側から裏側に向かうにつれて、下向きの角度をもって傾斜している。
【００２０】
また固定穴７は、凹部６の中央部分に設けられている。固定穴７は表側から裏側に貫通している。なお固定穴７は、固定板２をネジ等によって壁等の構造物に取り付けるために設けられたものである。
【００２１】
本実施形態で採用する固定板２では、係止穴５、凹部６及び固定穴７は、いずれも表面から奥側に向かって窪んだものであるため、固定板２の周面部分１３は、固定板２の最も前方にあり、固定板２の周面部分１３はフランジ状となっている。
また固定板２の裏面には、補強のためのリブ１５が設けられている。
【００２２】
４枚の表板３は、いずれも同一の形状であり、図２の様に更に表面板２０と裏面板２１によって構成されている。
表面板２０は、固定板１と同様の材質の射出成形或いは金属によって作られたものであり、表面（図４の番号２２）に文字又は図が描かれる。表面板２０の全周部には、図３の様に傾斜部２４が設けられている。傾斜部２４の傾斜角度は、前記した係止穴５の角度と略同一である。
表面板２０の裏面側は、図４の様に全体的に凹状をしている。また表面板２０の裏面の上下の凹壁２３，２５には、中央部分に突起２７，２８が設けられている。
【００２３】
裏面板２１は、固定板１と同様の材質の射出成形作られたものであり、正方形状をしていて、裏面側に突起３０が設けられている。突起３０の裏面（図５  ｄ）から見た形状は、長方形であり、前記した固定板２の係止穴５の開口形状と略合致する。また突起３０は、固定板２の係止穴５と同様に下向きの角度もって傾斜している。突起３０が設けられた位置は、裏面側の中央部分である。言い換えると、突起３０は、裏面板２１の裏面側の端部に設けられているのではなく、裏面板２１の突起３０突設部位の上下部分には、平坦部３４，３５がある。
また裏面板２１の上下辺の中央には、切り欠き３２，３３が設けられている。図中、番号３１で示す開口は、成形の際に設けられる抜き穴である。
【００２４】
表板３は、表面板２０の裏面の凹部に、裏面板２１の前面部分が嵌合し、一体化されたものである。また表面板２０と裏面板２１とを嵌合させる際には、表面板２０の突起２７，２８と裏面板２１の切り欠き３２，３３を合致させて位置決が行われる。
【００２５】
そして表面板２０と裏面板２１が一体化された表板３は、図６の様に突起３０が固定板２の係止穴５に係合されて固定板２に取り付けられる。表板３を固定板２に装着する際には、図６（ａ）の様に、表板３の突起３０を係止穴５の開口に引っかけ、同（ｂ）の様に、傾斜に沿って突起３０を係止穴５に挿入して行く。
表板３が完全に固定板２に挿着された状態では、図６（ｃ）の様に、裏面板２１の背面部が、固定板２の表面と当接する。その結果、表板３は、突起３０と、突起上部の平坦部３４及び突起下部の平坦部３５の３点で固定板２と接し、安定した状態で固定されることとなる。また突起３０及び係止穴５は、いずれも下向きの角度をもって傾斜しており、重力の方向と合致しているので、多少の振動を受けても表板３が固定板２から外れることはない。
【００２６】
表示板２の図柄を変更する場合には、表板３を取り外して別の図柄のものと変更する。
表板３を取り外す際には、図６に示した手順を逆にたどって表板３を抜き出すこととなるが、本発明では、突起３０及び係止穴５がいずれも下向きの角度をもって傾斜しているので、抜き出しの際の軌跡は、傾斜角度に沿って斜め上前方へ引き出すものとなる。ここで、表板３の周部には傾斜部２４が設けられており、傾斜部２４の傾斜角度は、係止穴５の角度と略同一であるから、表板３を抜き出す際に、他の表板３とぶつかることがない。そのため表板３の取り替えは円滑である。
【００２７】
以上説明した表示板１は、正方形であって、４枚の表板３を有するものを例に説明したが、本発明はこの構成にこだわるものではなく、多種、多様の形状のものに応用することができ、部品の互換性が高い。
図７は、長方形の表示板に応用した例を示すものであり、（ａ）は、その固定板５０を示し、（ｂ）は表面板５１の裏面を示す。図７の表示板では、一枚の長方形の表板が使用される。
固定板５１は、前記した係止穴５、凹部６及び固定穴７が３組設けられたものである。係止穴５等の間隔は、前記した図１の実施形態と同一である。
表面板５０は、前述した正方形の表板２０を３個並べた大きさであり、裏面側に凹部が設けられている。表面板５０には、３つの突起が設けられた裏面板（図示せず）が装着され、３つの突起を固定板５１の各係止穴５に係合させ、表板を固定板５１に固定する。
【００２８】
図８は、固定板の変形例を多数示すものである。これら各固定板の係止穴５、凹部６及び固定穴７の各組同士の間隔は、全て同一であり、表示板の大きさに応じて個数が異なる。なお、固定板の製造方法に関する提案として、図８（ｊ）の様な最大面積の固定板を射出成形によって製造し、他の小型の固定板は、この最大面積の固定板を適宜切り取って製造することができる。
【００２９】
表板は、前記した図１の様な正方形であって、一つの係止穴５だけに係合して取り付けられるものや、図７の様な複数の係止穴５に係合して取り付けられるものが適宜取り混ぜて使用される。
【００３０】
例えば図９に示すように、９つの係止穴５等の組を持つ固定板６０に対し、３つの突起（図示せず）を持つ表板６１と、２つの突起（図示せず）を持つ表板６２と、１つの突起（図示せず）を持つ表板６３を取り付けることもできる。
【００３１】
【発明の効果】
請求項１記載の表示板は、突起と係止穴との係合によって表板と固定板とが接合されているから、表板だけを係脱可能であり、必要に応じて図柄等の異なる表板と取り替えることができる。そのため、本発明の表示板は、表示内容の変更が可能であり、部品の互換性も高い。
また請求項１記載の表示板では、表板の突起及び固定板の係止穴は、いずれも下向きの角度もって傾斜しているので、振動によって落下することがない。
さらに請求項１記載の発明は、表板の係脱作業が容易となる効果がある。
【００３２】
請求項２に記載の表示板は、固定板の係止穴が、一定の間隔を有して複数配置されている。また請求項４に記載の表示板は、表板の突起は、一定の間隔を有して複数設けられている。そのため大きさの異なる表板を取り付けることができ、図柄の大きさに変化をつけることも可能である。また本発明によると、部品の互換性がさらに向上する効果がある。
【００３３】
請求項３記載の発明は、表面の凹凸が減少する効果がある。
【図面の簡単な説明】
【図１】  本発明の実施形態の表示板の正面図である。
【図２】  図１の表示板の分解斜視図である。
【図３】  図１の表示板で採用する固定板の正面図、側面図及び側面断面図である。
【図４】  図１の表示板で採用する表板の裏面板の裏面図、側面図及び断面図である。
【図５】  図１の表示板で採用する表板の表面板の正面図、側面図、側面断面図、裏面図、平面図及び底面図である。
【図６】  図１の表示板の組み立て手順を示す断面図である。
【図７】  本発明の他の実施形態の表示板の固定板の正面図及び表板の裏面図である。
【図８】  本発明の他の実施形態の表示板の固定板の正面図である。
【図９】  本発明の他の実施形態の表示板を模式的に表した斜視図である。
【符号の説明】
１        表示板
２，５０  固定板
３        表板
５        係止穴
６        凹部
７        固定穴
２０，５１  表面板
２１        裏面板
３０        突起
【図１】
0003929115.tif 000002
【図２】
0003929115.tif 000003
【図３】
0003929115.tif 000004
【図４】
0003929115.tif 000005
【図５】
0003929115.tif 000006
【図６】
0003929115.tif 000007
【図７】
0003929115.tif 000008
【図８】
0003929115.tif 000009
【図９】
0003929115.tif 000010